(57)【要約】【課題】真空断熱材の貼り付け位置を迅速にかつ明瞭に把握できる断熱箱体を提供する。【解決手段】真空断熱材３１の貼り付け部位を表示した表示部３６を冷蔵庫本体２１に設け、表示部３６は断熱箱体２０を構成する各面の名称を列記して、冷蔵庫に対する真空断熱材３１の貼り付け面に該当する部分にチェックして表示したことにより、作業者等が正確に真空断熱材の搭載位置を特定することができ、リサイクル工程での作業効率を向上することが可能になる。【選択図】図１
2011163581.tif 000002
【特許請求の範囲】
【請求項１】
真空断熱材を断熱壁内に埋設した冷蔵庫において、前記断熱壁の各部位を列記して、このうち前記真空断熱材が配置された断熱壁の部位にチェックして表示する表示部を設けたことを特徴とする冷蔵庫。
【請求項２】
冷蔵庫本体と扉とよりなる断熱箱体で形成され、前記断熱箱体の少なくとも一面に真空断熱材を配置した冷蔵庫において、前記断熱箱体を構成する各面の名称を列記して、前記各面のうち前記真空断熱材を有する面が判る印等を施して前記真空断熱材の配置部位を表示する表示部を設けた冷蔵庫。
【請求項３】
複数の冷蔵庫の機種名またはシリーズ名を列記して、少なくとも１つの表で表示したことを特徴とする請求項１または２に記載の冷蔵庫。
【発明の詳細な説明】
【技術分野】
【０００１】
本発明は、真空断熱材を搭載した断熱箱体に関し、特に真空断熱材の搭載位置を迅速にかつ明瞭に把握できる断熱箱体に関するものである。
【背景技術】
【０００２】
近年、地球環境保護のため、省エネルギーと省資源の視点に立った様々な取り組みがなされている。家電製品においては、消費電力の削減による省エネルギーや、製品の回収・解体・再資源化による省資源および環境汚染防止がすすめられている。
【０００３】
冷蔵庫・自動販売機（以下、冷蔵庫と言う）の分野では、断熱性能の高い真空断熱材（＝Ｖａｃｕｕｍ  Ｉｎｓｕｌａｔｉｏｎ  Ｐａｎｅｌ；ＶＩＰ）を搭載することで、大幅な省エネルギーが実現されている。真空断熱材は、ガラスウール等の芯材をアルミ蒸着フィルムなどのガス遮断性の高いフィルムで覆い、真空引きした後に、封止したものが主流であり、冷蔵庫の箱体内部にウレタンフォームなどの樹脂発泡体と組み合わせて収納されている。
【０００４】
しかし真空断熱材搭載製品を解体・再資源化するに当たって、従来の冷蔵庫リサイクル工程で破砕処理すると、不都合が起きると予想される。つまり、従来の冷蔵庫リサイクル工程では、冷蔵庫の箱体を丸ごと破砕選別機で処理しているため、選別されるウレタンや廃プラスチックに真空断熱材の芯材のガラス繊維が混入し、回収素材の有価性が落ちる恐れがある。従って、冷蔵庫の破砕前に真空断熱材を取り出すことが、回収素材の品位を高めるために望まれる。  ところが、これらの冷蔵庫は、真空断熱材を意味する「ＶＩＰ」という文字を製品背面に刻印することで、真空断熱材搭載冷蔵庫であることを表示しているのみであり、製品のどの箇所に真空断熱材が搭載されているかを簡単に知ることは出来ない。一方、真空断熱材を搭載した冷蔵庫はその数を増してきており、多くの機種が生産・販売されている。しかも真空断熱材の搭載位置は冷蔵庫の機種ごとに異なり、背部だけに入っているもの、背部と天部だけに入っているもの、背部、天部、両側部、底部、バリア（隔壁部）、冷蔵室ドア、冷凍室ドアの８箇所に入っているものなど、様々である。
【０００５】
このため近年、図６に示すように、断熱箱体外側に冷蔵庫の縮尺図を表示して真空断熱材の貼り付け位置を縮尺図上に印をつけて表して、図で表示する方法が提案された（例えば、特許文献１参照）。
【先行技術文献】
【特許文献】
【０００６】
【特許文献１】特開２００５−９０８１９号公報
【発明の概要】
【発明が解決しようとする課題】
【０００７】
しかしながら、上記したように真空断熱材の貼り付け位置を簡易な冷蔵庫の展開図や立体図上に印をつけて表示するのでは、実際は省エネ対応で高級機種ほど真空断熱材の貼り付け場所が多く、冷蔵庫の機種間で真空断熱材の貼り付け位置が異なり、このため機種ごとに異なる表示ラベルを作成する必要があり、機種数が多いほど表示ラベルの数も増え製造上での管理がしにくく、製造上での貼付作業も煩雑になるおそれがあった。
【０００８】
また環境問題が社会的に大きく取上げられる中で、真空断熱材の貼付位置も以前より増え、また多ドア化冷蔵庫によって、貯蔵室間の断熱仕切壁など簡易的な図による表示が困
難な場所にも真空断熱材が貼付されるようになり、これらを図で表示することは表示しにくく、表示しても逆に読取りづらく、正確に場所を特定しづらくなっていた。
【０００９】
また図による表示とすると、イメージ的に言語による表示よりも容易にすばやく作業者に明瞭に把握させると思われがちであるが、冷蔵庫の多ドア化、貯蔵室レイアウトの多様化、さらにはこれらに対応させ省エネ化を追求するべく真空断熱材の貼付位置の増大化により、図で表示しても表示を示す仮想線が増えて見づらく逆に正確に把握するのに時間がかかる。
【００１０】
また、さらに年々冷蔵庫の各貯蔵室の配置位置が変わりレイアウト変更も盛んに行われており、例えば、左右に配置の製氷室と切替室が冷蔵室の直下に配置、または野菜室の直下に配置されるなど、毎年冷蔵庫の図をそのレイアウト図に変更して表示し、さらに真空断熱材の位置もその都度表示位置を変えた図のラベルを貼り付ける必要があり、リサイクル作業者に図でわかりやすく開示しようとすると図による表示ラベルにかかるコストが増大した。
【００１１】
本発明は上記問題を解決するもので、冷蔵庫の省エネ化によって真空断熱材の貼り付け位置が増えても、貼り付け位置を迅速にかつ明瞭に把握できる冷蔵庫を提供することを目的とする。
【課題を解決するための手段】
【００１２】
上記課題を解決するために、本発明の冷蔵庫は、真空断熱材を断熱壁内に埋設した冷蔵庫において、前記断熱壁の各部位を列記して、このうち前記真空断熱材が配置された断熱壁の部位にチェックして表示する表示部を設けたことで、真空断熱材の貼り付け位置が複数個所に増えた場合でも、作業者等が正確に真空断熱材の貼り付け位置を特定することが可能になり、リサイクルの際の作業効率を上げることができる。また冷蔵庫の貯蔵室レイアウトが変更されてもその都度、表示の仕方を大幅に変える必要がなくコストも低減できる。
【００１３】
また、複数の冷蔵庫の機種名あるいはシリーズ名ごとで、真空断熱材の貼り付け位置が異なる場合でも、同じ表に列記してリスト化しているので、同じ表示ラベルを多機種、多シリーズにわたって兼用化でき、製造工程上での管理を改善でき、コストも低減できる。
【発明の効果】
【００１４】
以上のように本発明の冷蔵庫は、作業者等が正確に真空断熱材の貼り付け位置を特定することが可能になり、リサイクルの際の作業効率を上げることができる。
【図面の簡単な説明】
【００１５】
【図１】本発明の第１の実施形態における冷蔵庫の正面図
【図２】図１の縦断面図
【図３】（ａ）図１、２と同じレイアウトの冷蔵庫全体の斜視図（ｂ）図１、２と同じレイアウトの冷蔵庫本体の斜視図
【図４】（ａ）図１、２と異なるレイアウトの冷蔵庫全体の斜視図（ｂ）図１、２と異なるレイアウトの冷蔵庫本体の斜視図
【図５】本発明の第１の実施形態における冷蔵庫の背面図
【図６】従来の表示部の図
【発明を実施するための形態】
【００１６】
第１の発明は真空断熱材を断熱壁内に埋設した冷蔵庫において、前記断熱壁の各部位を列記して、このうち前記真空断熱材が配置された断熱壁の部位にチェックして表示する表
示部を設けたことにより、真空断熱材の貼り付け位置が複数部位に増えた場合、また冷蔵庫の貯蔵室レイアウトに関係なく、真空断熱材の貼り付け位置を作業者等が正確に貼り付け位置を特定することが可能になり、リサイクルの際の作業効率を上げることができる。
【００１７】
第２の発明は、冷蔵庫本体と扉とよりなる断熱箱体で形成され、前記断熱箱体の少なくとも一面に真空断熱材を配置した冷蔵庫において、前記断熱箱体を構成する各面の名称を列記して、前記各面のうち前記真空断熱材を有する面が判る印等を施して前記真空断熱材の配置部位を表示する表示部を設けたことにより、真空断熱材の貼り付け位置が多面にわたって貼り付けられている場合、冷蔵庫の貯蔵室レイアウトに関係なく、真空断熱材の貼り付け位置を作業者等が正確に貼り付け位置を特定することが可能になり、リサイクルの際の作業効率を上げることができる。
【００１８】
第３の発明は、特に、第１または第２の発明の冷蔵庫で、複数の冷蔵庫の機種名またはシリーズ名を列記して、少なくとも１つの表で表示したことにより、多機種、多シリーズの冷蔵庫を少なくとも１つの表形式で表示できるので、機種ごとに、またはシリーズごとに表示ラベルを冷蔵庫の形態ごとに１対１に対応させて作成する必要がなく、表示ラベルの兼用化が可能となり、製造工程上での貼り間違えの改善、コストも低減できる。
【００１９】
以下、本発明の実施の形態について、図面を参照しながら説明する。なお、この実施の形態によって本発明が限定されるものではない。
【００２０】
（実施の形態１）
図１は本発明の第１の実施形態における冷蔵庫の正面図である。図２は図１の縦断面図である。
【００２１】
図１において、冷蔵庫本体２１は、上から順に冷蔵室２２、製氷室２３と切換室２４が左右に配置し、冷凍室２５、野菜室２６がレイアウトされている。冷蔵室２２の冷蔵室ドア２２ａの中央部付近には操作部２７が配置され、照度検知手段である照度センサ（図示しない）が設けられている。
【００２２】
さらに、ドアのレイアウトは代表的なものであって、このレイアウトに限定されるものではなく、例えば上から順に冷蔵室２２、野菜室２６、製氷室２３と切換室２４が左右に配置し、最下部に冷凍室２５を配置していてもよい。
【００２３】
上記のように冷蔵庫本体２１と、冷蔵室ドア２２ａ、製氷室ドア２３ａ、切換室ドア２４ａ、冷凍室ドア２５ａそして野菜室ドア２６ａとで断熱箱体２０を構成している。
【００２４】
以上のように構成された冷蔵庫について、以下その動作、作用を説明する。
【００２５】
冷蔵庫本体２１の両側面部、背面部、周囲と断熱され、仕切り壁によって複数の貯蔵室に断熱区画されている。最上部に冷蔵室２２、その冷蔵室２２の下部に切換室２４もしくは製氷室２３が横並びに設けられ、その切換室２４と製氷室２３の下部に冷凍室２５、そして最下部に野菜室２６が配置され、各貯蔵室の前面には外気と区画するためそれぞれドアが冷蔵庫本体の前面開口部に構成されている。
【００２６】
冷蔵室２２は冷蔵保存のために凍らない温度を下限に通常１℃〜５℃とし、最下部の野菜室２６は冷蔵室２２と同等もしくは若干高い温度設定の２℃〜７℃としている。また、冷凍室２５は冷凍温度帯に設定されており、冷凍保存のために通常−２２℃〜−１５℃で設定されているが、冷凍保存状態の向上のために、例えば−３０℃や−２５℃の低温で設定されることもある。
【００２７】
切換室２４は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。切換室２４は製氷室２３に並設された独立扉を備えた貯蔵室であり、引き出し式の扉を備えることが多い。
【００２８】
なお、本実施の形態では、切換室２４を、冷蔵と冷凍の温度帯までを含めた貯蔵室としているが、冷蔵は冷蔵室２２と野菜室２６、冷凍は冷凍室２５に委ねて、冷蔵と冷凍の中間の上記温度帯のみの切り換えに特化した貯蔵室としても構わない。また、特定の温度帯、例えば近年冷凍食品の需要が多くなってきたことに伴い、冷凍に固定された貯蔵室でも構わない。
【００２９】
製氷室２３は、冷蔵室内の貯水タンク（図示せず）から送られた水で室内上部に設けられた自動製氷機（図示せず）で氷を作り、室内下部に配置した貯氷容器（図示せず）に貯蔵する。
【００３０】
図２において、冷蔵庫２１の冷蔵庫本体である断熱箱体は、主に鋼板を用いた外箱２８と、ＡＢＳなどの樹脂で成型された内箱２９と、外箱２８と内箱２９との間の空間には充填発泡された硬質ウレタンフォーム３０が構成されている。またさらに部分的により断熱性能を高めるために真空断熱材３１が硬質ウレタンフォーム内に埋設されている。
【００３１】
そして図２のように、製氷室２３と切換室２４および冷凍室２５に対応する背面部の空間内には、真空断熱材３１ａが貼り付けられ、硬質ウレタンフォーム３０との複合体が構成されている。
【００３２】
また冷蔵庫本体２１の天面部は冷蔵庫の背面方向に向かって階段状に凹みを設けた形状であり、この階段状の凹部に機械室３５を形成して、機械室３５に、圧縮機３２、水分除去を行うドライヤ（図示せず）等の冷凍サイクルの高圧側構成部品が収容されている。すなわち、圧縮機３２を配設する機械室３５は、冷蔵室２２内の最上部の後方領域に食い込んで形成されることになる。
【００３３】
また冷凍サイクルの低圧側を構成する冷却器３３は冷凍室２５の後方に配置し、冷却ファン３４によって冷却器３３で生成された冷気を強制送風して各貯蔵室を冷却している。
【００３４】
なお、本実施の形態における、以下に述べる発明の要部に関する事項は、従来一般的であった断熱箱体の最下部の貯蔵室後方領域に機械室を設けて圧縮機３２を配置するタイプの冷蔵庫２１に適用しても構わない。
【００３５】
図３は図１、２の冷蔵庫と同じ位置に各貯蔵室を配置したレイアウトの概略図で、図３（ａ）はドアを含めた斜視図、図３（ｂ）は冷蔵庫本体２１の斜視図である。
【００３６】
冷蔵庫本体２１の硬質ウレタンフォーム３０が充填される空間で、天面部には真空断熱材３１ｂ、両側面部には真空断熱材３１ｃ、底面部には真空断熱材３１ｄが埋設され、また冷蔵室ドア２２ａの硬質ウレタンフォーム３０が充填される空間内には真空断熱材３１ｅ、冷凍室ドア２５ａには真空断熱材３１ｆ、野菜室ドア２６ａには真空断熱材３１ｇが埋設されている。
【００３７】
図４は図１、２の冷蔵庫とは異なる位置に各貯蔵室を配置したレイアウトの冷蔵庫で、具体的には、上から順に冷蔵室２２、野菜室２６、製氷室２３と切換室２４が左右に配置し、最下部に冷凍室２５を配置している。
【００３８】
また圧縮機３２やその他高圧側構成部品は図２に示した同じ位置に形成されているが、特に限定される必要はなく、従来一般的であった断熱箱体の最下部の貯蔵室後方領域に機械室を設けて圧縮機３２を配置するタイプの冷蔵庫に適用しても構わない。
【００３９】
また少なくとも製氷室２３と切換室２４および冷凍室２５の範囲に対応する背面部の空間内には、真空断熱材３１ａが貼り付けられ、硬質ウレタンフォーム３０との複合体が構成されている。
【００４０】
冷蔵庫本体２１の硬質ウレタンフォーム３０が充填される空間で、天面部には真空断熱材３１ｂ、両側面部には真空断熱材３１ｃ、底面部には真空断熱材３１ｄが埋設され、また冷蔵室ドア２２ａの硬質ウレタンフォーム３０が充填される空間内には真空断熱材３１ｅ、冷凍室ドア２５ａには真空断熱材３１ｆ、野菜室ドア２６ａには真空断熱材３１ｇが埋設されている。
【００４１】
また図３のレイアウトの冷蔵庫で、例えば側面部は片側側面部のみ真空断熱材３１ｃを貼り付けている機種、天面部の真空断熱材３１ｂを貼付していない機種、天面部の真空断熱材３１ｂは貼付しているが、底面部の真空断熱材３１ｄを貼付していない機種などが存在します。
【００４２】
これらの真空断熱材の貼り付け部位を表示した表示部３６は、図５のように冷蔵庫背面部の外箱２８に貼付されている。表示部３６の例としては、ラベルを貼り付けるシール以外に、刻印や印刷、無線タグのＩＣチップなどがあり、製品が販売されて数年〜数十年後に冷蔵庫を廃棄するまで真空断熱材３１の貼り付け位置の情報が残るように、表示部３６は冷蔵庫に直接施している。
【００４３】
そして上記のように真空断熱材３１を埋設した冷蔵庫の場合の表示部３６の表示を表１に示す。
【００４４】
【表１】
2011163581.tif 000003
【００４５】
表１で、縦軸に冷蔵庫の型番が異なる機種ごとに機種名、または年度発売の新製品などのシリーズごとに複数の冷蔵庫製品を並べて表示し、横軸に断熱箱体２０を構成する各面の名称または断熱壁の部位を列記して、または真空断熱材３１を貼付する可能性のある貼り付け面または部位を並べて、リスト化して表示している。また表１の近傍には「製品前方より」など、冷蔵庫をどの位置に立って見た場合の方向を表しているかも追記しておく必要がある。
【００４６】
具体的には、サイドＲ（右側面部）、サイドＬ（左側面部）、バック（背面部）、トップ（天面部）、ボトム（底面部）、ＶＣ（野菜室ドア）、ＦＣ（冷凍室ドア）、ＰＣＲ（冷蔵室右ドア）、ＰＣＬ（冷蔵室左ドア）のように断熱箱体２０を構成する各面の名称または断熱壁の部位を並べて列記している。
【００４７】
そして図３のような冷蔵庫の場合、上記すべての部位に真空断熱材３１を貼り付けてい
るので、表１のようにすべての部位欄に印をつけている。
【００４８】
また図４の冷蔵庫の場合、図３の冷蔵庫とは貯蔵室のレイアウトは異なるが、同様にすべての部位に真空断熱材３１を貼り付けているので、表１のようにすべての部位欄に印をつけている。
【００４９】
また図３のようなレイアウトの冷蔵庫でも、上記に例を挙げたが、側面部は片側側面部のみで例えばサイドＬのみ真空断熱材３１ｃ、およびバックに真空断熱材３１ａの合計２枚の真空断熱材を貼り付けている機種は表１のように該当する部位欄に印をつけている。
【００５０】
またトップ、ボトム、各ドアすべての真空断熱材の貼付はせず、サイド両面とバックのみ真空断熱材３１を貼付している機種、またはボトム、各ドアすべての真空断熱材の貼り付けはせず、サイド両面、バックそしてトップに真空断熱材３１を貼り付けている機種などは表１のように該当する部位のみに印をつけています。
【００５１】
冷蔵庫の開発目的によって、例えば超省エネを目的とした冷蔵庫などは、表１のようにすべての部位に真空断熱材が貼り付けられ、このように開発目的や冷蔵庫の内容積が異なるだけでも、真空断熱材の貼り付け位置が異なり、表示部３６の該当部位に印をつけている。
【００５２】
また真空断熱材３１の貼り付け位置は上記の部位に限らず、冷蔵室２２の底面部や製氷室２３と切換室２４とを区画する仕切り壁内など硬質ウレタンフォーム３０が充填されている部分であればどこに貼り付けてもよい。
【００５３】
さらに、図３、図４のように貯蔵室の位置が異なるレイアウトの冷蔵庫も存在し、真空断熱材３１の貼り付け位置も上記のようにさまざまなパターンが存在します。
【００５４】
以上のように構成された冷蔵庫について、以下その動作、作用を説明する。
【００５５】
表示部３６には、表の横軸に断熱箱体２０を構成する各面の名称を列記して、または真空断熱材３１を貼り付ける可能性のある部位を列記し、表の縦軸に真空断熱材３１を貼り付けている冷蔵庫を機種名ごと、または同等機能を搭載したシリーズごとに代表する機種名またはシリーズ名を並べて列記し、機種名、または代表機種名ごとに、真空断熱材３１を貼り付けている各面または部位に該当する欄に印をつけて、真空断熱材３１の貼り付け部位をチェックした表で表示することにより、図で表示しにくい位置に貼り付けられている真空断熱材３１の貼り付け部位や、省エネ対象冷蔵庫など真空断熱材３１の貼り付け部位が多い機種に対して、正確な貼り付け部位を迅速にリサイクル作業者に報せることができる。
【００５６】
また、表に、複数の冷蔵庫の機種名またはシリーズ名と、真空断熱材３１の貼り付け部位とをマトリクスを組んで列記し、該当する貼り付け部位に印をつけて１つの表にリスト化して表示することで、冷蔵庫の容量帯や開発目的、また貯蔵室のレイアウトが異なるなど多種多様な冷蔵庫であっても、真空断熱材３１の貼り付け位置を正確に表示することができ、表示部３６を機種間で兼用化を図ることができるので、表示部３６の冷蔵庫への貼り付け作業も機種名と対応させて貼る手間が省け、貼り付け間違いを低減できる。また製造工程上での管理を改善でき、コストも低減できる。
【００５７】
また断熱箱体を構成する各面の名称を列記する場合、すべての面を列記する必要はなく、例えばバック（背面）、サイド（側面）、トップ（天面）のように機種間またはシリーズ間にわたって共通に貼り付ける主要な部分を列記して、ドアやボトム（底面）などの部
分は「その他」と表示して表示部を簡略化してもよい、これによって表をコンパクト化できる。
【産業上の利用可能性】
【００５８】
本発明の冷蔵庫は、真空断熱材の貼り付け位置を冷蔵庫本体外側に設けた表示部から簡便に正確に把握することができ、廃棄またはリサイクル処理するに先立って真空断熱材を取り出すのが望ましい冷蔵庫、自動販売機、温調機、加熱炉などの用途に利用できる。
【符号の説明】
【００５９】
２１  冷蔵庫本体
３１  断熱材
３６  表示部
【図１】
2011163581.tif 000004
【図２】
2011163581.tif 000005
【図３】
2011163581.tif 000006
【図４】
2011163581.tif 000007
【図５】
2011163581.tif 000008
【図６】
2011163581.tif 000009